(57)【特許請求の範囲】
【請求項１】
ネジ切り機の底部に宛がわれる底部パレット部と、
該底部パレット部の側面壁に平行となるように取り付けられた一対のスライドバーと、
これら一対のスライドバー間にスライド自在に架設され、一端スライド位置で前記ネジ切り機の支持チャックを露呈するとともに前記ネジ切り機の電源スイッチを覆い隠し、他端スライド位置で前記支持チャックを覆い隠すとともに前記電源スイッチを露呈する保護カバーと
を有することを特徴とするネジ切り機用保護カバー装置。
【請求項２】
前記保護カバーがアーチ状に湾曲された金属板体で形成され、一側面に前記一端スライド位置で前記電源スイッチから外れ、前記他端スライド位置で前記電源スイッチを露呈する電源スイッチ窓が穿設されていることを特徴とする請求項１記載のネジ切り機用保護カバー装置。
【請求項３】
ネジ切り機本体と、ネジ切りの対象となるパイプを保持して回転させるパイプ回転保持部と、該パイプ回転保持部に保持されて回転するパイプの外周に雄ネジを螺刻するネジ切りバイト部とを具備するネジ切り機において、
該ネジ切り機の側面壁に平行となるように取り付けられた一対のスライドバーと、
これら一対のスライドバー間にスライド自在に架設され、一端スライド位置で前記ネジ切り機の支持チャックを露呈するとともに前記ネジ切り機の電源スイッチを覆い隠し、他端スライド位置で前記支持チャックを覆い隠すとともに前記電源スイッチを露呈する保護カバーと
を有することを特徴とする保護カバー付ネジ切り機。
【請求項４】
前記保護カバーがアーチ状に湾曲された金属板体で形成され、一側面に前記一端スライド位置で前記電源スイッチから外れ、前記他端スライド位置で前記電源スイッチを露呈する電源スイッチ窓が穿設されていることを特徴とする請求項３記載の保護カバー付ネジ切り機。
【発明の詳細な説明】
【０００１】
【発明の属する技術分野】
本発明はネジ切り機用保護カバー装置および保護カバー付ネジ切り機に関し、特に電動式ネジ切り機（パイプマシンともいう）の安全対策用のネジ切り機用保護カバー装置および保護カバー付ネジ切り機に関する。
【０００２】
【従来の技術】
従来、この種のネジ切り機１０は、図６に例示するように、ネジ切り機本体１と、ネジ切りの対象となるパイプ（図示せず）を保持して回転させるパイプ回転保持部２と、パイプ回転保持部２に保持されて回転するパイプを切断するパイプカッタ部３と、パイプ回転保持部２に保持されて回転するパイプの先端部（図では右端部）の外周に雄ネジを螺刻するネジ切りバイト部４と、パイプ回転保持部２に保持されて回転するパイプの先端部の内径を面取りするリーマ部５とから、その主要部が構成されていた。
【０００３】
このようなネジ切り機１０を使用する場合、まず、パイプ回転保持部２の三点支持リング２１側から三点支持チャック２２側にパイプを通し、三点支持リング２１および三点支持チャック２２を手動で回転させてパイプを中心位置でロックする。
【０００４】
この後、電源スイッチ２３をオンすると、パイプ回転保持部２に内蔵されたモータ（図示せず）が回転し、三点支持リング２１および三点支持チャック２２を一体的に回転させ、これによりパイプが一体として回転する。
【０００５】
このとき、必要ならば、パイプカッタ部３を基端部を中心として水平位置まで揺動させてパイプに当て付け、ハンドル３１を手動回転させて回転刃３２によりパイプの先端部を所望の長さ位置で切断する。
【０００６】
次に、ハンドル４１を手動で回転操作して、ネジ切りバイト部４のバイト部材４２を左右一対のスライドバー４３，４３に沿ってパイプに近づけて接触させると、バイト部材４２がパイプに食い込み、パイプの回転に伴ってスライドバー４３，４３に案内されながらパイプの先端部外周に雄ネジが螺刻されていく。なお、この際、給油ポンプ（図示せず）により、ネジ切り機本体１内から一方のスライドバー４３内および三点支持チャック２２内を通じて冷却油が供給され、バイト部材４２およびパイプを冷却しながら雄ネジの螺刻が行われる。
【０００７】
そして、ネジ切りバイト部４がスライドバー４３，４３の左端まで至ると、ネジ切りが終了する。よって、作業者は、電源スイッチ２３をオフする。
【０００８】
この後、必要があれば、作業者は、ネジ切りバイト部４を基端部を中心として揺動させて退避させる一方、リーマ部５を基端部を中心として水平位置まで揺動させて、雄ネジを螺刻したパイプの先端部の内径に嵌合させ、電源スイッチ２３を再度オンしてパイプを回転させることにより、リーマ部５によりパイプ先端の内面を面取りすることができる。
【０００９】
パイプを取り外す際には、三点支持リング２１および三点支持チャック２２によるロックを手動で外してパイプを左側に引き出す。
【００１０】
【発明が解決しようとする課題】
上述した従来のネジ切り機は、パイプのカット，ネジ切りおよび面取りの各加工が一連の作業によって一括して処理できるので、非常に作業効率の高い装置ではあったが、電動で回転する回転部分（三点支持リング２１および三点支持チャック２２）が外部にむき出しとなっていたために、作業中に回転部分に安全帯のロープ等が巻き込まれて作業者の事故につながるおそれがあるという問題点があった。
【００１１】
本発明の目的は、電源オン時に回転部分を覆い、電源オフ時に回転部分を露呈して操作可能にすると同時に電源をオンできないようにして、ネジ切り機の安全性を高めるようにしたネジ切り機用保護カバー装置を提供することにある。
【００１２】
また、本発明の他の目的は、上記ネジ切り機用保護カバー装置を予め一体として備えるようにした保護カバー付ネジ切り機を提供することにある。
【００１３】
【課題を解決するための手段】
本発明のネジ切り機用保護カバー装置は、ネジ切り機の底部に宛がわれる底部パレット部と、該底部パレット部の側面壁に平行となるように取り付けられた一対のスライドバーと、これら一対のスライドバー間にスライド自在に架設され、一端スライド位置で前記ネジ切り機の支持チャックを露呈するとともに前記ネジ切り機の電源スイッチを覆い隠し、他端スライド位置で前記支持チャックを覆い隠すとともに前記電源スイッチを露呈する保護カバーとを有することを特徴とする。さらに、前記保護カバーがアーチ状に湾曲された金属板体で形成され、一側面に前記一端スライド位置で前記電源スイッチから外れ、前記他端スライド位置で前記電源スイッチを露呈する電源スイッチ窓が穿設されていることを特徴とする。
【００１４】
また、本発明の保護カバー付ネジ切り機は、ネジ切り機本体と、ネジ切りの対象となるパイプを保持して回転させるパイプ回転保持部と、該パイプ回転保持部に保持されて回転するパイプの外周に雄ネジを螺刻するネジ切りバイト部とを具備するネジ切り機において、該ネジ切り機の側面壁に平行となるように取り付けられた一対のスライドバーと、これら一対のスライドバー間にスライド自在に架設され、一端スライド位置で前記ネジ切り機の支持チャックを露呈するとともに前記ネジ切り機の電源スイッチを覆い隠し、他端スライド位置で前記支持チャックを覆い隠すとともに前記電源スイッチを露呈する保護カバーとを有することを特徴とする。さらに、前記保護カバーがアーチ状に湾曲された金属板体で形成され、一側面に前記一端スライド位置で前記電源スイッチから外れ、前記他端スライド位置で前記電源スイッチを露呈する電源スイッチ窓が穿設されていることを特徴とする。
【００１５】
【発明の実施の形態】
以下、本発明の実施の形態について図面を参照して詳細に説明する。
【００１６】
（１）  第１の実施の形態
図１は、本発明の第１の実施の形態に係るネジ切り機用保護カバー装置６をネジ切り機１０に装着した状態を示す斜視図である。また、図２は、ネジ切り機用保護カバー装置６を単独で取り出して示す斜視図である。
【００１７】
ネジ切り機用保護カバー装置６は、底部パレット部６１と、底部パレット部６１の左右の側面壁に取り付けられた一対のスライドバー６２，６２と、一対のスライドバー６２，６２間に架設された保護カバー６３とから構成されている。なお、符号６４は、スライドバー６２，６２を底部パレット部６１に取り付ける左右一対ずつの支持部材を示す。
【００１８】
底部パレット部６１は、ネジ切り機１０の底部に嵌合する大きさに形成された底浅の金属板体で形成されている。
【００１９】
スライドバー６２，６２は、底部パレット部６１の側面壁から突設された左右一対ずつの支持部材６４，６４間に側面壁に沿うように平行に設けられている。
【００２０】
保護カバー６３は、パイプ回転保持部２を覆う高さおよび幅を有するアーチ状に湾曲された金属板体で形成されており、右端面が右側の支持部材６４に当接する右端スライド位置でネジ切り機１０の電源スイッチ２３を外部に露呈させる電源スイッチ窓６３ａが穿設されている（図４参照）。保護カバー６３の下端辺は、左半部が切り欠かれているとともに、右半部がスライドバー６２，６２に巻き付けられるように円筒状に曲げ加工されている。なお、保護カバー６３を形成する金属板体の弾性により、作業者の力で保護カバー６３をスライドバー６２，６２に対して比較的容易に着脱できるようになっている。
【００２１】
なお、ネジ切り機１０については、図６に示した従来のネジ切り機１０と同様に構成されているので、同一部分には同一符号を付して、それらの詳しい説明を割愛する。
【００２２】
このように構成された第１の実施の形態に係るネジ切り機用保護カバー装置１をネジ切り機１０に装着して使用する場合、まず、図３に示すように、保護カバー６３をその下縁左側端面が支持部材６４に当接する左端スライド位置にスライドさせ、パイプをパイプ回転保持部２の三点支持リング２１側から三点支持チャック２２側に通し、三点支持リング２１および三点支持チャック２２を手動で回転させてパイプを中心位置でロックする。このとき、電源スイッチ窓６３ａが電源スイッチ２３から外れ、電源スイッチ２３がオンできないようになっているので、三点支持リング２１および三点支持チャック２２の手動操作中に作業員が誤って電源をオンとして、三点支持リング２１および三点支持チャック２２が回転することはない。このため、三点支持リング２１および三点支持チャック２２の手動操作中の事故を未然に防止することができる。
【００２３】
次に、図４に示すように、保護カバー６３を右端面が支持部材６４に当接する右端スライド位置にスライドさせると、三点支持チャック２２が覆われると同時に、電源スイッチ窓６３ａを通して電源スイッチ２３が外部に露呈することになる。
【００２４】
この後、電源スイッチ２３をオンすると、パイプ回転保持部２に内蔵されたモータ（図示せず）が回転し、三点支持リング２１および三点支持チャック２２を一体的に回転させ、これによりパイプが一体として回転する。
【００２５】
このとき、必要ならば、パイプカッタ部３を基端部を中心として水平位置まで揺動させてパイプに当て付け、ハンドル３１を手動回転させて回転刃３２によりパイプの先端部を所望の長さ位置で切断する。
【００２６】
パイプカッタ部３を元位置に復動させた後、ハンドル４１を手動で回転操作して、ネジ切りバイト部４のバイト部材４２を左右一対のスライドバー４３，４３に沿ってパイプに近づけ接触させると、バイト部材４２がパイプに食い込み、パイプの回転に伴ってスライドバー４３に案内されながらパイプの先端部外周に雄ネジが螺刻されていく。なお、この際、給油ポンプ（図示せず）により、ネジ切り機本体１内から一方のスライドバー４３内および三点支持チャック２２内を通じて冷却油が供給され、バイト部材４２およびパイプを冷却しながら雄ネジの螺刻が行われる。このとき、回転する三点支持リング２１および三点支持チャック２２は、保護カバー６３に覆われているので、三点支持リング２１および三点支持チャック２２に安全帯のロープが巻き込まれる等の事故が未然に防止される。
【００２７】
そして、ネジ切りバイト部４がスライドバー４３，４３の左端まで至ると、ネジ切りが終了するので、電源スイッチ窓６３ａを通じて電源スイッチ２３をオフする。
【００２８】
この後、必要があれば、作業者は、ネジ切りバイト部４を基端部を中心として揺動させて退避させる一方、リーマ部５を基端部を中心として水平位置まで揺動させて、雄ネジを螺刻したパイプの先端部の内径に嵌合させ、電源スイッチ２３を再度オンしてパイプを回転させることにより、リーマ部５によりパイプ先端の内面を面取りすることができる。
【００２９】
パイプを取り外す際には、図３に示すように、保護カバー６３を左端スライド位置にスライドさせて、外部に露呈された三点支持チャック２２によるロックを手動で外し、同じく三点支持リング２１による支持を手動で外してパイプを左側に引き出す。このとき、電源スイッチ窓６３ａが電源スイッチ２３から外れ、電源スイッチ２３がオンできないようになっているので、三点支持リング２１および三点支持チャック２２の手動操作中に作業員が誤って電源をオンとして、三点支持リング２１および三点支持チャック２２が回転することはない。このため、三点支持リング２１および三点支持チャック２２の手動操作中の事故を未然に防止することができる。
【００３０】
このように、第１の実施の形態に係るネジ切り機用保護カバー装置６をネジ切り機１０の装着して使用することにより、パイプの取り付けおよび取り外し時の事故ならびにネジ切り時の事故を未然に防止することができるという効果がある。
【００３１】
（２）  第２の実施の形態
図５は、本発明の第２の実施の形態に係る保護カバー付きネジ切り機２０の構成を示す斜視図である。本実施の形態の係る保護カバー付きネジ切り機２０は、図１に示した第１の実施の形態に係るネジ切り機用保護カバー装置６がネジ切り機１０に着脱自在に装着されるようになっていたのに対して、保護カバー６３をネジ切り機２０の側面壁に沿って平行に設けられた一対のスライドバー１１，１１に着脱自在に取り付けるようにしたものである。なお、符号１２は、ネジ切り機２０の側面壁に突設されスライドバー１１，１１を支持する左右一対ずつの支持部材を示す。したがって、その他の対応する部材については同一符号を付して、それらの詳しい説明を割愛する。
【００３２】
このように構成された第２の実施の形態に係る保護カバー付きネジ切り機２０においても、第１の実施の形態に係るネジ切り機用保護カバー装置６をネジ切り機１０に装着した場合と同様の動作となり、同様の効果が得られることはいうまでもない。
【００３３】
ところで、上記各実施の形態では、回転部分を三点支持リング２１および三点支持チャック２２としたが、ネジ切り機１０，２０の仕様に応じて他の回転部分であっても、本発明が同様に適用できることはもちろんである。
【００３４】
また、ネジ切りを行う部分をネジ切りバイト部４としたが、ネジ切り機１０，２０の仕様に応じてネジ切りを行う部分がタップ，ゲージ等の他の部材であっても、本発明が同様に適用できることはいうまでもない。
【００３５】
さらに、電源スイッチ２３を覆い隠したり露呈したりする部分を電源スイッチ窓６３ａとしたが、保護カバー６３の形状を様々に工夫することによって、切欠等とすることもできることはもちろんである。
【００３６】
【発明の効果】
以上述べたように、本発明のネジ切り機用保護カバー装置によれば、保護カバーが電源オン時に回転部分を覆い、電源オフ時に回転部分を露呈して操作可能にすると同時に電源をオンできないようにするので、パイプの取り付けおよび取り外し時の事故ならびにネジ切り時の事故を未然に防止することができるという効果がある。
【００３７】
また、本発明の保護カバー付ネジ切り機によれば、保護カバーが電源オン時に回転部分を覆い、電源オフ時に回転部分を露呈して操作可能にすると同時に電源をオンできないようにするので、パイプの取り付けおよび取り外し時の事故ならびにネジ切り時の事故を未然に防止することができるという効果がある。
【図面の簡単な説明】
【図１】本発明の第１の実施の形態に係るネジ切り機用保護カバー装置を装着したネジ切り機を示す斜視図である。
【図２】図１から第１の実施の形態に係るネジ切り機用保護カバー装置だけを取り出して示す斜視図である。
【図３】第１の実施の形態に係るネジ切り機用保護カバー装置を左端スライド位置にスライドさせた状態を示す側面図である。
【図４】第１の実施の形態に係るネジ切り機用保護カバー装置を右端スライド位置にスライドさせた状態を示す側面図である。
【図５】本発明の第２の実施の形態に係る保護カバー付きネジ切り機を示す斜視図である。
【図６】従来のネジ切り機の一例を示す斜視図である。
【符号の説明】
１  ネジ切り機本体
２  パイプ回転保持部
３  パイプカッタ部
４  ネジ切りバイト部
５  リーマ部
６  ネジ切り機用保護カバー装置
１０  ネジ切り機
１１  スライドバー
１２  支持部材
２０  保護カバー付きネジ切り機
２１  三点支持リング
２２  三点支持チャック
２３  電源スイッチ
４１  ハンドル
４２  バイト部材
４３  スライドバー
６１  底部パレット部
６２  スライドバー
６３  保護カバー
６３ａ  電源スイッチ窓
６４  支持部材
【図１】
0003637302.tif 000002
【図２】
0003637302.tif 000003
【図３】
0003637302.tif 000004
【図４】
0003637302.tif 000005
【図５】
0003637302.tif 000006
【図６】
0003637302.tif 000007